(57)【要約】      （修正有）【課題】シュートの前の土の溜まりを防止し、植え付けた球根に確実に、かつ、均一に覆土出来る球根植え付け装置の提供を目的とする。【解決手段】牽引車に装着する球根植え付け装置１０において、球根を収納し順次排出するホッパー１２を備え、該ホッパーが排出した球根をガイド落下させる筒状のシュート１３を複数垂設し、回転することでシュート方向に畝の土を跳ね上げ可能にシュート前羽根車２０をシュートの前側に配設し、牽引車が走行し、シュート１３が畝を鋤き起こして植込み溝を形成し、該植込み溝へシュートから落とした球根にシュート前羽根車２０が畝の土を跳ね上げて覆土し、球根植え付け装置後部に配設した整地板１７にて畝上面を整地する。【選択図】図１
0003108265.tif 000002
【実用新案登録請求の範囲】
【請求項１】
牽引車に装着する球根植え付け装置において、球根を収納し順次排出するホッパーを備え、該ホッパーが排出した球根をガイド落下させる筒状のシュートを複数垂設し、シュートの下端に鋤部を備え、牽引車が走行することで鋤部により畝に形成される植え込み溝にシュートから落下させた球根に対して、畝の土を掻き上げて覆土する羽根車をシュート間とシュート前の少なくとも２箇所に配設したことを特徴とする球根植え付け装置。
【考案の詳細な説明】
【技術分野】
【０００１】
本考案は、チューリップ等の球根を畝に植え付けるための球根植え付け装置に関する。
【背景技術】
【０００２】
本出願人は、先にチューリップの球根を人力に頼らず迅速に植え付け可能とする球根植え付け装置を発明して、特許２８８３８５４号公報に開示している。
この技術は、角筒状のシュートの下端に設けた鋤部で畝を鋤き起こして植込み溝を形成し、シュートの上端開口部から植込み溝内へ球根を落とし込み、シュートの横に配設した羽根車で土を掻き上げて球根に覆土する技術である。
シュート横の羽根車は羽根先端を植込み溝へ向けて屈曲させることで、掻き上げた土が植え込み溝に向けて飛ぶように工夫されている。
その方法は、図６に球根への覆土状態の模式図を示すように、シュート内の球根１ｂはシュートの下端に設けた鋤部が畝２に造った植え込み溝１０３に落下し、この落下した球根１ｃに対して羽根車１２０の羽根先端部１２０ａにて土を覆土するものである。
しかし、シュートの鋤部で植込み溝を鋤き起こすにあたって、シュート前に土が溜まってしまい、極端に土が溜まると装置が動かなくなる恐れがあった。
また、植え込み溝１０３の深さや幅は球根の大きさによって調整するが、羽根車の掻き上げる土の方向がほぼ一定のため、溝１０３に向けて充分な量だけ飛ばない場合も発生し、人が覆土の手直しをしなければならない場合もあった。
【０００３】
【特許文献１】特許２８８３８５４号公報
【考案の開示】
【考案が解決しようとする課題】
【０００４】
本考案は先の特許発明を改良したものであり、シュートの前の土の溜まりを防止し、植え付けた球根に確実に、かつ、均一に覆土出来る球根植え付け装置の提供を目的とする。
【課題を解決するための手段】
【０００５】
本考案の技術的要旨は、牽引車に装着する球根植え付け装置において、球根を収納し順次排出するホッパーを備え、該ホッパーが排出した球根をガイド落下させる筒状のシュートを複数垂設し、シュートの下端に鋤部を備え、牽引車が走行することで鋤部により畝に形成される植え込み溝にシュートから落下させた球根に対して、畝の土を掻き上げて覆土する羽根車をシュート間とシュート前の少なくとも２箇所に配設した点にある。
【０００６】
ここで、羽根車をシュート間とシュート前に配設したとは、次のような趣旨である。
球根は、シュートの下端に鋤部を設けるなどして、牽引車走行に伴い畝を引っ掻くようにして植込み溝を形成し、その形成した植込み溝へと落とし込まれるが、この球根に対して、シュートの進行方向前側に、畝の鋤き起こしに伴いシュート前に溜まる土を左右にさばき、植込み溝を予備的に形成しながら土を跳ね上げるシュート前羽根車と、シュート間に回転することで畝の土を植込み溝方向に掻き出し可能なシュート間羽根車を配設する趣旨である。
【考案の効果】
【０００７】
本考案における球根植え付け装置においては、植え付け溝を形成しながら球根を落下させるシュートの前位置に、羽根先端部を配置するようにシュート前羽根車を配設したため、粘性の高い土や、根が多数混入した土においてもシュート前の土の溜まりを防止してスムーズな植え付け溝の鋤き起こしを可能にしつつ、シュート前羽根車が回転して跳ね上げる土を効率良く植え付け溝付近に堆積させることが出来る。
加えて、シュート間に羽根先端部を配置したシュート間羽根車を備えることで、植え付け溝内への土の流しこみ効率を上げることが出来る。
これにより、従来行われていた球根の覆土手直し作業が不要になる。
【考案を実施するための最良の形態】
【０００８】
図２（イ）に本考案に係る球根植え付け装置の要部平面図を示し、図２（ロ）にＡ−Ａ線断面図を示し、球根植え付け装置の基本構造について説明する。
球根植え付け装置１０は、トラクタ等の牽引車（図示省略）の後部に上下高さ調整可能にしたフレーム１１を介して取り付けてある。
球根植え付け装置１０には、球根を収納する振動型ホッパー１２を備え、ホッパー１２には球根を順次排出する開口部１２ａを設け、開口部１２ａから排出した球根はエプロン部１５上をガイド部１６によりガイドしてコンベア１４へと転がり、コンベア１４は球根を搬送し、角筒状のシュート１３の上開口部１３ａへと落とし込む。
従って、コンベア１４はエプロン部１５から後方側に向けて配設し、シュート１３は上開口部１３ａをコンベア１４端部に臨ませ、下端が被植え付け部である畝へ向くように垂設させている。
なお、矢印で示す牽引車の進行方向を前方とし、後退方向は後方と表現する。
フレーム１１の後部には畝上面を下端部で整地する整地板１７を畝上面に対して所定の角度を形成するように取り付けている。
また、フレーム１１側部には畝の傾斜面を整える当て板１８を備えている。
球根植え付け構造の説明図を図３に示す。
図３において球根植え付け装置はＡ−Ａ線断面を描いてある。
ホッパー１２の開口部１２ａから排出した球根１ａは、エプロン部１５からコンベア１４上へと転がり、コンベア１４により搬送されて、シュート１３の上開口部１３ａへ入る。
一方、シュート１３はその下部１３ｂには鋤部１３ｄを垂下させて設けて、鋤部１３ｄからシュート下部１３ｂを畝に食い込ませることで、球根植え付け装置１０の走行に伴い畝２を引っ掻くように植込み溝３を形成する。
これにより、シュート１３の上開口部１３ａに落とし込んだ球根１ｂはシュート１３内を落下し、シュート下部開口部１３ｃから植込み溝３内へ排出されて球根１ｃのように植え付けられる。
【０００９】
植込み溝内へ植え付けた球根に土を被せるための構造について説明する。
図１は上方からみた球根植え付け装置１０の内部構造の説明図を示し、図４は整地板を取り外して後方から球根植え付け装置１０を見た説明図を示す。
球根植え付け装置１０は、内部にシュート前羽根車２０とシュート間羽根車２２の２つの羽根車をそれぞれの駆動軸２１、２３を回転軸として備えている。
これらの駆動軸は、牽引車からの出力軸５の出力をベルトなどで伝導して駆動するが駆動機構は従来用いられている構造で良く図示省略してある。
図３に示すように羽根車の羽根は２枚を一組として設けているが、例えば複数の羽根を駆動軸から放射状に突設させてもよく、畝の土を掻き上げ可能であればその形状は限定されない。
図１、図４に示すように、シュート間羽根車２２はシュート１３の間でその羽根先端部２２ａが回転して畝の土を掻き上げるように備えている。
羽根先端部２２ａは、それぞれシュート１３が形成する植込み溝方向へ互い違いに屈曲させて、回転により掻き上げた土を植え込み溝へ向けて跳ね上げる。
シュート前羽根車２０は、シュート１３の前方正面側となるように配設し、羽根先端部２０ａを、互い違いに反対方向に屈曲させて、土を掻き上げる位置をシュート中心位置に対してオフセットさせている。
これにより、羽根先端部２０ａが掻き上げて跳ね上げる土のうち、シュートに直接当たってしまう量を減らし、シュートの左右を通り抜けさせて球根付近へ積み上げる土の量を増すことができる。
【００１０】
植え付けられた球根に対する覆土状態について図５にて説明する。
図５は、球根植え付け装置が球根を植え付けている際の羽根車部分の状態を上方からみて模式的に表してある。
球根植え付け装置の進行方向は矢印で示してある。
シュート前羽根車２０は、駆動軸２１を回転軸として回転し畝２のシュート１３前の土４ａを左右にさばいてシュート１３前に土が溜まるのを防止しながら後方へ向けて跳ね上げる。
この時、植込み溝３となる予備溝３ａを形成する。
シュート前羽根車２０の回転方向は、シュート１３が引っ掻いて形成している植込み溝３方向へ向いているため、シュート前羽根車２０の跳ね上げる土４ａは、対となっているシュートが形成する植込み溝に沿って堆積する。
シュート前羽根車２０の羽根先端部２０ａは、互いに逆方向に屈曲しているため、シュート前羽根車２０はシュート１３の中心位置に対して左右にオフセットさせた位置から土４ａをシュートの横を通すように跳ね上げる。
シュート間羽根車２２は植込み溝３へ向けて屈曲させた羽根先端部２２ａが回転することで、シュート１３横の土４ｂを植込み溝３内へ流し込むように掻き上げる。
羽根車の回転速度は、シュート前羽根車２０の回転速度を速く、シュート間羽根車２２の回転速度を比較して遅く設定すると、シュート前羽根車２０の土の跳ね上げと、シュート間羽根車２２の土の掻き上げによる植込み溝への土の流し込みを効果的に行うことができる。
そして、植込み溝の縁部分に堆積して残った土は、整地板１７がならすことで植込み溝３内に流し込み、球根１０を均一に覆土する。
【００１１】
このように、植込み溝内へ植え付けた球根に、シュート前羽根車とシュート間羽根車とを用いて畝の土を球根上及び球根周囲に効率的に堆積させた上で、整地板を用いてならすため、球根に対する覆土不足を防止して効率的に土を被せることができる。
球根植え付け装置は、シュート前における土の堆積を防止しているため、畝の土の状態に拘わらず良好に装置運転が行える。
【図面の簡単な説明】
【００１２】
【図１】本発明に係る球根植え付け装置の上方から見た内部構造の説明図を示す。
【図２】（イ）は本発明に係る球根植え付け装置の要部平面図を示し、（ロ）はＡ−Ａ線断面図を示す。
【図３】球根植え付け構造の説明図を示す。
【図４】進行方向後ろ側から透視して見た説明図を示す。
【図５】羽根車が土を掻き上げる状態の説明図を示す。
【図６】従来の球根植え付け装置における羽根車が土を掻き上げる状態の説明図を示す。
【符号の説明】
【００１３】
１、１ａ、１ｂ、１ｃ  球根
２      畝
３      植込み溝
３ａ    予備溝
４ａ、４ｂ  跳ね上げた土
５      牽引車出力軸
１０    球根植え付け装置
１１    フレーム
１２    振動型ホッパー
１２ａ  ホッパー開口部
１３    シュート
１３ａ  シュート上開口部
１３ｂ  シュート下部
１３ｃ  シュート下部開口部
１３ｄ  鋤部
１４    コンベア
１５    エプロン部
１６    ガイド部
１７    整地板
１８    当て板
２０    シュート前羽根車
２０ａ  シュート前羽根車の羽根先端部
２１    シュート前羽根車駆動軸
２２    シュート間羽根車
２２ａ  シュート間羽根車の羽根先端部
２３    シュート間羽根車駆動軸
【図１】
0003108265.tif 000003
【図２】
0003108265.tif 000004
【図３】
0003108265.tif 000005
【図４】
0003108265.tif 000006
【図５】
0003108265.tif 000007
【図６】
0003108265.tif 000008